(57)【特許請求の範囲】
【請求項１】
周囲温度の変化に伴って遮断動作電流が変化する配線用遮断器と組み合わせて使用し，電流検出手段を備え，検出した電流が事前に設定した閾値を超えた際に警報または一部の負荷回路を遮断するような過電流検出装置において，周囲温度を随時測定し該測定した測定値を電圧値として出力する温度検出手段と，該温度検出手段からの電圧値が入力されるとともに，前記配線用遮断器が所定の周囲温度において実際に遮断動作する動作電流の実測値と予め近似させた線形関数Ｉ＝ｆ（Ｔ）｛Ｉは動作設定電流値，Ｔは周囲温度｝に該周囲温度に相当する前記電圧値を代入することにより該動作設定電流値を求出し該求出された結果を前記閾値として定める閾値設定手段と，を備え，前記周囲温度の推移を前記電流の閾値に随時反映し該閾値を周囲温度により変化させることにより，前記配線用遮断器が実際に遮断動作する電流値において，警報または一部の負荷回路を遮断することを特徴とする過電流検出装置。
【発明の詳細な説明】
【０００１】
【発明の属する技術分野】
本件の発明は，過負荷を検出して回路を遮断する過電流回路遮断器と組み合わせて使用する過電流検出装置に関する。
【０００２】
【従来の技術】
従来，過電流回路遮断器が過電流で遮断動作して停電になることを防ぐ目的で，予め設定した閾値電流を超えると警報または回路遮断器につながる一部の負荷を遮断するような過電流検出装置があった。
【０００３】
そのような装置においては，回路遮断器が遮断動作する電流値によって閾値を設定し，該閾値を電流が超えると警報を発して，使用者が負荷の一部を減じるかもしくは装置に負荷回路の一部を遮断する機能を持たせて電流を抑制して回路遮断器の遮断動作による停電を防ぐようにしていた。
【０００４】
また，前記閾値は単純に電流値としたものや，電流値の閾値と電流値が継続する時間の閾値を組み合わせて警報や負荷の一部を遮断するようにしたものがあった。
【０００５】
【発明が解決しようとする課題】
【０００６】
しかしながら回路遮断器は，過電流検出にバイメタルを用いた熱検知式やオイルを緩衝材として電磁コイルを用いた電磁式のものが大勢を占めているが，その電流と時間を関数とした遮断動作特性は周囲温度により大なり小なり影響を受ける。すなわち周囲温度が高くなるとより低い電流値で，周囲温度が低くなるとより高い電流値で動作するものであり，そのため回路遮断器の定格電流値は，基準周囲温度で基準時間内に動作する電流値として定められている。
【０００７】
したがって，従来のような過電流検出装置では，想定しうる周囲温度内で回路遮断器が動作しない電流値を閾値としなければならず，より低い周囲温度では実際に回路遮断器が動作するより低い電流値で警報動作や一部の負荷の遮断動作を行うので，フルに電気を使用できないという問題があった。一般的に，バイメタル式の回路遮断器では１０℃当たり５〜２０％動作電流値が変化するものである。
【０００８】
そこで，本件の発明は，前述のような回路遮断器，特に配線用遮断器の遮断動作前に警報や一部の負荷の使用を停止するような過電流検出装置において，周囲温度に関わらず回路遮断器が本当に遮断動作する直前に警報や一部の負荷の使用を停止するようにして，回路遮断器に接続される負荷ができるだけたくさんの電気を使用できるようにすることを目的としている。
【０００９】
【課題を解決するための手段】
。
【００１０】
そこで，請求項１の発明においては，周囲温度の変化に伴って遮断動作電流が変化する配線用遮断器と組み合わせて使用し，電流検出手段を備え，検出した電流が事前に設定した閾値を超えた際に警報または一部の負荷回路を遮断するような過電流検出装置において，周囲温度を随時測定し該測定した測定値を電圧値として出力する温度検出手段と，該温度検出手段からの電圧値が入力されるとともに，前記配線用遮断器が所定の周囲温度において実際に遮断動作する動作電流の実測値と予め近似させた線形関数Ｉ＝ｆ（Ｔ）｛Ｉは動作設定電流値，Ｔは周囲温度｝に該周囲温度に相当する前記電圧値を代入することにより該動作設定電流値を求出し該求出された結果を前記閾値として定める閾値設定手段と，を備え，前記周囲温度の推移を前記電流の閾値に随時反映し該閾値を周囲温度により変化させることにより，前記配線用遮断器が実際に遮断動作する電流値において，警報または一部の負荷回路を遮断することを特徴とする過電流検出装置を提供したものである。
【００１１】
削除
【００１２】
以下に本件発明を図面を用いて詳細に説明する。図１は本件発明の第一の実施例を示すブロック構成図である。
【００１３】
１は配線用遮断器である過電流回路遮断器，２は過電流検出装置，２００１は電流検出手段である。過電流回路遮断器１の負荷側には電流を検出するための電流検出手段２００１が配設されている。電流検出手段２００１と過電流検出装置２は電気的に接続され，該電流検出手段２００１の出力は過電流検出装置２に入力される。本実施例では電流検出手段２００１として変流器を用いており，過電流回路遮断器１の負荷側の電流値を電圧信号として出力する。
【００１４】
図２は過電流検出装置２の構成を示すブロック図である。２００２は温度検出手段，２００３は閾値設定手段，２００４は判定手段，２００５は警報信号出力手段，２００６は遮断信号出力手段である。
【００１５】
温度検出手段２００２は周囲温度を測定し測定値を電圧として出力するものである。一般に過電流回路遮断器における周囲温度と動作電流値の関係は，図３のグラフに示したように，周囲温度が推移すると動作電流値も併せて変化する。すなわち周囲温度が高くなるとより低い電流値で，周囲温度が低くなるとより高い電流値で過電流回路遮断器２が動作する。
【００１６】
閾値設定手段２００３は前述したような周囲温度の推移による動作電流の変化を考慮するよう閾値を設定するもので，本実施例では予め線形関数
Ｉ＝ｆ（Ｔ）    ｛  Ｉは動作設定電流値，Ｔは周囲温度  ｝
を用いて過電流回路遮断器１の動作電流の実測値と近似させ，ある温度におけるそのときの動作電流値，すなわち閾値を設定している。設定された閾値は判定手段２００４に出力される。
【００１７】
判定手段２００４は前述した電流検出手段２００１と閾値設定手段２００３からの出力を受け，電流検出手段２００１で得た負荷側の電流値と閾値設定手段２００３で得た閾値との比較を行い，負荷側の電流値が閾値よりも大きい場合には警報信号出力手段２００５または遮断信号出力２００６に向けて出力を行う。
【００１８】
このように周囲温度の推移を動作設定電流値に随時反映させながら警報信号または遮断信号の出力判定を行うように過電流検出装置２を構成したために，周囲温度の推移における過電流回路遮断器１の動作電流値の変化を吸収することができ，そのときの周囲温度において効率よく過電流回路遮断器１が動作する直前の電流値まで負荷機器を使用することができる。
【００１９】
次に第二の実施例について図面を用いて詳細に説明を行う。図４は図１に示した過電流検出装置２の第二の実施例を表した構成を示すブロック図である。２００１は電流検出手段，２００２は温度検出手段，４００１は電流の継続時間測定手段，４００２は判定手段，４００３は閾値設定手段，２００５は警報信号出力手段，２００６は遮断信号出力手段である。
【００２０】
先に述べたように温度検出手段２００２は周囲温度を測定し測定値を電圧として出力するものである。一般に過電流回路遮断器における周囲温度と動作電流値の関係は，図３のグラフに示したように，周囲温度が推移すると動作電流値も併せて変化する。すなわち周囲温度が高くなるとより低い電流値で，周囲温度が低くなるとより高い電流値で過電流回路遮断器２が動作する。
【００２１】
閾値設定手段４００３は周囲温度の推移による動作電流の変化を考慮するよう閾値を設定するもので，本実施例では予め線形関数
Ｉ＝ｆ（Ｔ）    ｛  Ｉは動作設定電流値，Ｔは周囲温度  ｝
を用いて過電流回路遮断器１の動作電流の実測値と近似させ，ある温度におけるそのときの動作電流値，すなわち閾値を設定している。設定された閾値は電流の継続時間測定手段５００１および判定手段４００２に出力される。
【００２２】
電流の継続時間測定手段４００１は電流検出手段２００１と閾値設定手段５００３と判定手段４００２に接続される。電流検出手段２００１により得られた電流値データと閾値設定手段４００３により得られた閾値すなわち過電流回路遮断器１の動作電流値とを比較し，前記電流値データが閾値を上回った場合には，その上回った間の時間を計測し，判定手段４００２に向けて時間データを出力する。
【００２３】
判定手段４００２は前述した電流検出手段２００１と閾値設定手段４００３と電流の継続時間測定手段４００１からの出力を受ける。判定手段４００２は，電流検出手段２００１で得た負荷側の電流値と閾値設定手段２００３で得た閾値との比較を行い負荷側の電流値が閾値よりも大きく，なおかつ電流の継続時間測定手段４００１から出力された時間データが予め定められた所定の時間を超えた場合には警報信号出力手段２００５または遮断信号出力２００６に向けて出力を行う。
【００２４】
このように周囲温度の推移を動作設定電流値すなわち閾値に随時反映させ，また閾値を超えた電流の継続時間を測定し予め定められた所定の時間を超えた場合に警報信号または遮断信号の出力判定を行うように過電流検出装置２を構成したために，周囲温度の推移における過電流回路遮断器１の動作電流値の変化を吸収することができ，また時間に対する冗長性を持たせることができ，そのときの周囲温度において効率よく過電流回路遮断器１が動作する直前の電流値まで負荷機器を使用することができる。
【００２５】
【発明の効果】
以上のように本発明によれば，周囲温度の変化に伴って遮断動作電流が変化する配線用遮断器の遮断動作前に警報や一部の負荷の使用を停止するような過電流検出装置において，周囲温度に関わらず前記配線用遮断器が本当に遮断動作する直前に警報や一部の負荷の使用を停止するようにして，前記配線用遮断器に接続される負荷ができるだけたくさんの電気を使用できるようにする過電流検出装置を提供することができる。
【図面の簡単な説明】
【図１】  本件発明の第一の実施例を示すブロック構成図
【図２】  過電流検出装置２の構成を示すブロック図
【図３】  周囲温度と動作電流の関係を示した図
【図４】  図１に示した過電流検出装置２の第二の実施例を表した構成を示すブロック図
【符号の説明】
１  過電流回路遮断器
２  過電流検出装置
２００１  電流検出手段
２００２  電流の継続時間測定手段
２００３  閾値設定手段
２００４  判定手段
２００５  警報信号出力手段
２００６  遮断信号出力手段
４００１  電流の継続時間測定手段
４００２  判定手段
４００３  閾値設定手段
【図１】
0003899280.tif 000002
【図２】
0003899280.tif 000003
【図３】
0003899280.tif 000004
【図４】
0003899280.tif 000005